(57)【要約】【課題】検査対象物の音情報の管理を効率的に行うことを可能にする検査管理システムおよび検査管理方法を提供する。【解決手段】携帯端末２は、検査対象物の音を収集し、その音を、ＩＣタグ１から読み取った固体識別符号と共に、管理サーバ４へ出力する。管理サーバ４は、検査対象物５が異常か否かを携帯端末２から受け付けた音情報に基づいて判断し、その判断結果を、その音情報と共に、その固体識別符号と対応づけて記憶する。【選択図】図１
2007248278.tif 000002
【特許請求の範囲】
【請求項１】
検査対象物に付与される、該検査対象物を識別するための固体識別符号が記録された識別用タグと、
前記識別用タグから前記固体識別符号を読み取る読取部と、音を受け付け該音に応じた音情報を出力する音収集部と、前記音収集部から出力された音情報を、前記読取部にて読み取られた固体識別符号と共に出力する制御部と、を含む検査用データ取得装置と、
前記制御部から前記音情報と前記固体識別符号を受け付ける受付部と、記憶部と、前記検査対象物が異常か否かを前記受付部にて受け付けられた音情報に基づいて判断し該判断結果を該音情報と共に前記固体識別符号と対応づけて前記記憶部に記憶するデータ制御部と、を含むデータ管理装置と、を含む検査管理システム。
【請求項２】
請求項１に記載の検査管理システムにおいて、
前記データ制御部は、前記受付部が前記音情報および前記固体識別符号を受け付けた場合に該固体識別符号に対応する音情報が既に前記記憶部に記憶されていると、該受け付けた音情報と、該固体識別符号に対応づけて該記憶部に記憶されている音情報と、を比較し、その比較結果を、該固体識別符号に対応づけて該記憶部に記憶する、検査管理システム。
【請求項３】
請求項１または２に記載の検査管理システムにおいて、
前記制御部は、前記読取部が前記固体識別符号を受け付けると、前記音収集部に前記音を受け付けさせる、検査管理システム。
【請求項４】
検査対象物に付与される、該検査対象物を識別するための固体識別符号が記録されたＩＣタグと、
音を受け付け該音に応じた音情報を出力する音収集部と、前記検査対象物が異常か否かを前記音収集部から出力された音情報に基づいて判断し該判断結果を該音情報と共に前記ＩＣタグに書き込む制御部と、を含む検査用データ取得装置と、を含む検査管理システム。
【請求項５】
請求項４に記載の検査管理システムにおいて、
前記制御部は、前記ＩＣタグから音情報を読み出し、その読み出された音情報と、前記音収集部から出力された音情報と、を比較し、その比較結果を、該ＩＣタグに書き込む、検査管理システム。
【請求項６】
検査対象物に付与される、該検査対象物を識別するための固体識別符号が記録された識別用タグと、前記固体識別符号を読み取る検査用データ取得装置と、前記検査用データ取得装置と通信するデータ管理装置と、を含む検査管理システムが行う検査管理方法であって、
前記検査用データ取得装置が、前記識別用タグから前記固体識別符号を読み取る読取ステップと、
前記検査用データ取得装置が、音を受け付け該音に応じた音情報を出力する音収集ステップと、
前記検査用データ取得装置が、前記音情報を前記固体識別符号と共に出力する出力ステップと、
前記データ管理装置が、前記検査用データ取得装置から前記音情報と前記固体識別符号を受け付ける受付ステップと、
前記データ管理装置が、前記検査対象物が異常か否かを前記音情報に基づいて判断する判断ステップと、
前記データ管理装置が、前記判断結果を前記音情報と共に前記固体識別符号と対応づけて記憶する記憶ステップと、を含む検査管理方法。
【請求項７】
検査対象物に付与される、該検査対象物を識別するための固体識別符号が記録されたＩＣタグと、前記ＩＣタグと通信可能な検査用データ取得装置と、を含む検査管理システムが行う検査管理方法であって、
前記検査用データ取得装置が、音を受け付け該音に応じた音情報を出力する音収集ステップと、
前記検査用データ取得装置が、前記検査対象物が異常か否かを前記音情報に基づいて判断する判断ステップと、
前記検査用データ取得装置が、前記判断結果を前記音情報と共に前記ＩＣタグに書き込む書き込みステップと、を含む検査管理方法。
【発明の詳細な説明】
【技術分野】
【０００１】
本発明は、検査管理システムおよび検査管理方法に関し、特には、ＩＣタグなどの識別用タグを活用した検査管理システムおよび検査管理方法に関する。
【背景技術】
【０００２】
従来、発電所または化学プラントでの検査対象物（例えば、配管）の検査は、熟練した検査員によって行われていた。具体的には、熟練した検査員が、検査対象物を叩き、そのときに発生する音に基づいて、検査対象物のひび割れおよび異常を検知していた。この方法が行われている理由は、検査対象物にひび割れまたは腐食が発生していた場合、その叩かれたときに発生する音に違いが出て、その音の違いにより、検査対象物の異常を検知できるからである。
【０００３】
しかし、この音の違いの認識は、熟練した者の経験に頼る部分が多かった。よって、新しい検査員は、その音の違いを聞き分ける技術を取得するのに膨大な時間を要していた。
【０００４】
また、熟練した検査員でも、人によりその音の聞き分けに個人差があるため、その検査結果の評価にも、個人差が出ていた。
【０００５】
その他の検査方法としては、腐食などについては、目視または写真を撮り、以前の検査結果と比べて、変化がないか否かを確認する方法がある。
【０００６】
しかし、これも人により写真の見方に個人差があり、人の主観により評価がばらつき、一様にならないという問題があった。
【０００７】
特許文献１（特開２０００−１１１４５３号公報）には、検査結果の評価に個人差が出る問題を解決できる技術が記載されている。具体的には、特許文献１には、配管の音を収集し解析する携帯型の装置が記載されている。この場合、携帯型の装置が、配管の音を解析するため、その解析結果に個人差が出ることがなくなる。また、この携帯型の装置は、その配管の音を、外部の機器に送信する。
【０００８】
また、特許文献２（特開２００１−５１７１７号公報）には、「ＩＣタグ」を用いてプラント機器の現状を監視する携帯端末が記載されている。具体的には、携帯端末は、プラント機器に添付されたＩＣタグから、固体識別符号と、機器の状態を示すデータを読み取り、そのデータを表示する。
【０００９】
なお、「ＩＣタグ」は、一般に、「非接触データキャリア」、「無線ＩＣタグ」、「非接触ＩＣ」、「非接触ＩＣラベル」、「非接触ＩＣタグ」、「ＲＦＩＤ」等と表現される場合もある。
【００１０】
このＩＣタグは、一般に、個体識別符号などの情報を記憶するメモリーを有し、それらの情報は、ＩＣタグリーダライタにより、読み書き可能になっている。
【００１１】
また、このＩＣタグリーダライタ機能のついた携帯端末もあり、携帯端末は、電話の通信機能を持つなどマイク機能を付加したものもある。
【特許文献１】特開２０００−１１１４５３号公報
【特許文献２】特開２００１−５１７１７号公報
【発明の開示】
【発明が解決しようとする課題】
【００１２】
特許文献１および２に記載された技術では、検査対象物の音情報の管理を効率的に行うことができないという問題があった。その理由は、以下の通りである。
【００１３】
特許文献１に記載された携帯型の装置は、検査対象物を識別するための情報を収集しない。このため、この装置は、収集された音情報を記録しても、その音情報が、どの検査対象物に対応するのかを管理できない。
【００１４】
特許文献２に記載された端末装置は、検査対象の音情報を収集しない。このため、この端末装置は、検査対象物の音情報を管理できない。
【００１５】
本発明の目的は、検査対象物が異常か否かの判断が個人差によりばらつくことを防止でき、検査対象物の音情報の管理を効率的に行うことを可能にする検査管理システムおよび検査管理方法を提供することである。
【課題を解決するための手段】
【００１６】
上記目的を達成するために、本発明の検査管理システムは、検査対象物に付与される、該検査対象物を識別するための固体識別符号が記録された識別用タグと、前記識別用タグから前記固体識別符号を読み取る読取部と、音を受け付け該音に応じた音情報を出力する音収集部と、前記音収集部から出力された音情報を、前記読取部にて読み取られた固体識別符号と共に出力する制御部と、を含む検査用データ取得装置と、前記制御部から前記音情報と前記固体識別符号を受け付ける受付部と、記憶部と、前記検査対象物が異常か否かを前記受付部にて受け付けられた音情報に基づいて判断し該判断結果を該音情報と共に前記固体識別符号と対応づけて前記記憶部に記憶するデータ制御部と、を含むデータ管理装置と、を含む。
【００１７】
また、本発明の検査管理方法は、検査対象物に付与される、該検査対象物を識別するための固体識別符号が記録された識別用タグと、前記固体識別符号を読み取る検査用データ取得装置と、前記検査用データ取得装置と通信するデータ管理装置と、を含む検査管理システムが行う検査管理方法であって、前記検査用データ取得装置が、前記識別用タグから前記固体識別符号を読み取る読取ステップと、前記検査用データ取得装置が、音を受け付け該音に応じた音情報を出力する音収集ステップと、前記検査用データ取得装置が、前記音情報を前記固体識別符号と共に出力する出力ステップと、前記データ管理装置が、前記検査用データ取得装置から前記音情報と前記固体識別符号を受け付ける受付ステップと、前記データ管理装置が、前記検査対象物が異常か否かを前記音情報に基づいて判断する判断ステップと、前記データ管理装置が、前記判断結果を前記音情報と共に前記固体識別符号と対応づけて記憶する記憶ステップと、を含む。
【００１８】
上記発明によれば、検査対象物の音が収集されれば、データ管理装置は、検査対象物が異常か否かを、検査対象物の音に応じた音情報に基づいて判断し、その判断結果を音情報と共に、固体識別符号と対応づけて記憶する。
【００１９】
よって、検査対象物が異常か否かの判断が個人差によりばらつくことを防止でき、また、検査対象物の音情報の管理を効率的に行うことが可能になる。
【００２０】
また、データ管理装置が、判断結果、音情報および固体識別符号を管理するため、識別用タグが、判断結果、音情報および固体識別符号を管理しなくて済む。
【００２１】
なお、前記データ制御部は、前記受付部が前記音情報および前記固体識別符号を受け付けた場合に該固体識別符号に対応する音情報が既に前記記憶部に記憶されていると、該受け付けられた音情報と、該固体識別符号に対応づけて該記憶部に記憶されている音情報と、を比較し、その比較結果を、該固体識別符号に対応づけて該記憶部に記憶することが望ましい。
【００２２】
上記発明によれば、比較結果も記録されるため、検査対象物の変化も管理することが可能になる。
【００２３】
また、前記検査用データ取得装置は、前記読取部が前記固体識別符号を受け付けると、前記音収集部に前記音を受け付けさせることが望ましい。
【００２４】
上記発明によれば、固体識別情報が受け付けられると、音収集部は、自動的に動作を開始する。このため、検査者が音収集部を動作させるための操作を行う必要がなくなる。
【００２５】
また、本発明の検査管理システムは、検査対象物に付与される、該検査対象物を識別するための固体識別符号が記録されたＩＣタグと、音を受け付け該音に応じた音情報を出力する音収集部と、前記検査対象物が異常か否かを前記音収集部から出力された音情報に基づいて判断し該判断結果を該音情報と共に前記ＩＣタグに書き込む制御部と、を含む検査用データ取得装置と、を含む。
【００２６】
また、本発明の検査管理方法は、検査対象物に付与される、該検査対象物を識別するための固体識別符号が記録されたＩＣタグと、前記ＩＣタグと通信可能な検査用データ取得装置と、を含む検査管理システムが行う検査管理方法であって、前記検査用データ取得装置が、音を受け付け該音に応じた音情報を出力する音収集ステップと、前記検査用データ取得装置が、前記検査対象物が異常か否かを前記音情報に基づいて判断する判断ステップと、前記検査用データ取得装置が、前記判断結果を前記音情報と共に前記ＩＣタグに書き込む書き込みステップと、を含む。
【００２７】
上記発明によれば、検査対象物の音が収集されれば、検査用データ取得装置は、検査対象物が異常か否かを、検査対象物の音に応じた音情報に基づいて判断し、その判断結果を、音情報と共に、その検査対象物に付与されているＩＣタグに書き込む。
【００２８】
よって、検査対象物が異常でいるか否かの判断が個人差によりばらつくことを防止でき、また、検査対象物の音情報の管理を効率的に行うことが可能になる。
【００２９】
また、ＩＣタグが、判断結果、音情報および固体識別符号を管理するため、判断結果、音情報および固体識別符号を管理するためのサーバなどを設ける必要がなくなる。
【００３０】
また、前記制御部は、前記ＩＣタグから音情報を読み出し、その読み出された音情報と、前記音収集部から出力された音情報と、を比較し、その比較結果を、該ＩＣタグに書き込むことが望ましい。
【００３１】
上記発明によれば、比較結果も記録されるため、検査対象物の変化も管理することが可能になる。
【発明の効果】
【００３２】
本発明によれば、検査対象物が異常か否かの判断が個人差によりばらつくことを防止でき、検査対象物の音情報の管理を効率的に行うことが可能になる。
【発明を実施するための最良の形態】
【００３３】
以下、本発明を実施するための最良の形態を図面を用いて詳細に説明する。
【００３４】
図１は、本発明の一実施形態の検査管理システムを示した概略構成図である。
【００３５】
図１において、検査管理システムは、ＩＣタグ１と、携帯端末２と、管理サーバ４とを含む。携帯端末２は、ＩＣタグリーダライタ機能を有し、また、通信回線の一例であるインターネット３を介して、管理サーバ４と通信する。
【００３６】
ＩＣタグ１は、識別用タグの一例であり、検査対象物５に付与される。上述したように、「ＩＣタグ」は、一般に、「非接触データキャリア」、「無線ＩＣタグ」、「非接触ＩＣ」、「非接触ＩＣラベル」、「非接触ＩＣタグ」、「ＲＦＩＤ」等と表現される場合もある。ＩＣタグ１には、検査対象物５を識別するための固体識別符号が記録されている。
【００３７】
図２は、ＩＣタグ１の一例を示したブロック図である。
【００３８】
図２において、ＩＣタグ１は、制御部１１、記憶部１２、アンテナ部１３、および、電力生成部１４を含む。
【００３９】
制御部１１は、ＩＣタグ１の各部の制御を行う。記憶部１２は、固体識別符号等の情報を記憶している。アンテナ部１３は、携帯端末２と通信する。電力生成部１４は、アンテナ部１３が携帯端末２から情報取得要求の電波を受信すると、その電波による誘導起電力を利用して、電力を発生する。
【００４０】
制御部１１は、電力生成部１４が電力を発生すると、例えば、記憶部１２にあらかじめ記憶されている固体識別符号を読み出し、その固体識別情報をアンテナ部１３から携帯端末２へ送信する。
【００４１】
図３は、携帯端末２の一例を示したブロック図である。
【００４２】
図３において、携帯端末２は、制御部２１、無線部２２、表示部２３、ＩＣタグリーダライタ２４、アンテナ部２５、記憶部２６、および、マイク部２７を含む。
【００４３】
制御部２１は、携帯端末２の各部の制御を行う。
【００４４】
無線部２２は、携帯端末２の無線通信基地局（不図示）との間で情報の送受信を行う。なお、無線通信基地局は、インターネット３と接続されている。
【００４５】
表示部２３は、携帯端末２の表示画面であり、検査に関する情報を表示し、また、検査結果の登録等の指示を表示する。
【００４６】
ＩＣタグリーダライタ２４は、アンテナ部２５から電波を発信させて、ＩＣタグ１から情報を読み取り、また、ＩＣタグ１に情報を書き込む。ＩＣタグ１は、アンテナ部２５から電波を受け付けると、誘電起電力を発生し、その電波に応答する。
【００４７】
記憶部２６は、携帯端末２の個体識別のための端末ＩＤと、その他の各種情報を記憶させておく部分である。制御部２１は、記憶部２６の情報を取り出し、その情報を、無線部２２から外部へ送信することができる。
【００４８】
マイク部２７は、検査対象物５の検査箇所５ａを叩いた音を収集し、その音に応じた音情報を出力する。制御部２１は、マイク部２７が出力した音情報を記憶部２６に保存する。また、制御部２１は、マイク部２７から出力された音情報を、ＩＣタグリーダライタ２４がＩＣタグ１から読み取った固体識別符号と共に、無線部２２から管理サーバ４へ出力する。
【００４９】
図１に戻って、管理サーバ４は、インターネット３に接続されており、携帯端末の無線基地局を介して、携帯端末との間で情報の送受信を行うことができる。
【００５０】
図４は、管理サーバ４の一例を示したブロック図である。
【００５１】
図４において、管理サーバ４は、通信部４１と、記憶部４２と、制御部４３とを含む。
【００５２】
通信部４１は、インターネット３を介して、携帯端末２の無線部２２と通信する。記憶部４２は、管理サーバ４にて管理される検査関連情報を記憶する。制御部４３は、検査対象物５が異常か否かを、通信部４１にて受け付けられた音情報に基づいて判断し、その判断結果を、その音情報と共に、その固体識別符号と対応づけて記憶部４２に記憶する。
【００５３】
図５は、管理サーバ４にて管理される検査関連情報４Ａの一例を示した説明図である。
【００５４】
検査関連情報４Ａは、複数の情報を有する複数のレコード４Ａ１〜４Ａｎを有する。
【００５５】
各レコードは、検査箇所４ａ１、検査日（１）４ａ２、検査者４ａ３、検査結果４ａ４、作業情報４ａ５、検査日（２）４ａ６、検査者４ａ７、検査結果４ａ８、作業状況４ａ９、および、比較４ａ１０の各項目に対応する情報を有する。
【００５６】
具体的には、検査箇所４ａ１には、検査箇所を示す固体識別符号が格納される。
【００５７】
検査日（１）４ａ２には、検査した日付が格納される。検査者４ａ３には、検査した作業者の氏名が登録される。検査結果４ａ４には、音情報と、その音情報を管理サーバ４の制御部４３が解析した結果（判断結果）とが、格納される。作業状況４ａ５には、検査結果４ａ４を受けて作業者が作業した履歴が記録される。
【００５８】
検査日（２）４ａ６には、さらに検査を定期的に行う場合に２回目に検査した日付が格納される。検査者４ａ７には、２回目に検査した作業者の氏名が登録される。検査結果４ａ８には、２回目の検査時に得られた音情報と、その音情報を管理サーバ４の制御部４３が解析した結果（判断結果）とが、格納される。作業状況４ａ９には、検査結果４ａ８を受けて作業者が作業した履歴が記録される。
【００５９】
比較４ａ１０には、検査日（１）４ａ２と検査日（２）４ａ６にて収集された音情報を比較したグラフが格納される。
【００６０】
また、例えば、検査箇所を示すID“IS2821”（固体識別符号）は、“４号棟  柱番号３”のように、固体識別符号は、検査箇所を示す情報と、管理サーバ４上（例えば、記憶部４２）で紐付けされているものとする。
【００６１】
次に、動作を説明する。
【００６２】
図６は、事前の登録動作を説明するためのフローチャートである。以下、図６を参照して、事前の登録動作を説明する。
【００６３】
なお、検査対象物５の検査箇所５ａに付与されるＩＣタグ１（具体的には記憶部１２）には、固体識別符号として検査箇所を示すＩＤが記憶されているものとする。このＩＤは、通常ＩＣタグ１内の記憶部１２に記憶されているユニークＩＤでもよいし、検査者が独自に割り振ったＩＤでも良い。
【００６４】
まず、ＩＤ（識別符号）が、管理サーバ４の記憶部４２の検査関連情報４Ａに、検査箇所として登録される（ステップＳ１０１）。
【００６５】
次に、ＩＣタグ１が、該当する検査箇所５ａに取り付けられる（ステップＳ１０２）。
【００６６】
検査者は、検査する前に、携帯端末２の不図示の操作部を操作して、携帯端末２に検査者として自分の名前を入力すると、携帯端末２の制御部２１は、その名前を無線部２２から管理サーバ４に送信する。管理サーバ４の制御部４３は、携帯端末２から名前を受け付けると、その名前を検査者として検査関連情報４Ａに登録する（ステップＳ１０３）。
【００６７】
本フローにより、検査箇所の情報と検査員の情報が、管理サーバ４に登録され、検査の準備が完了する。
【００６８】
図７は、実際の検査時の動作を説明するためのフローチャートである。以下、図７を参照して実際の検査時の検査フローを説明する。
【００６９】
最初に、検査員が、携帯端末２のＩＣタグリーダライタ２４を、検査箇所５ａに付与されたＩＣタグ１にかざし、ＩＣタグリーダライタ２４がＩＣカード１からＩＤ（識別符号）を読むと、ＩＣタグリーダライタ２４は、そのＩＤ（識別符号）を制御部２１に提供する。制御部２１は、ＩＤ（識別符号）を受け付けると、そのＩＤ（識別符号）を記憶部２６に格納すると共に、マイク部２７をＯＮにして、マイク部２７に音を受け付けさせる（ステップＳ２０１）。
【００７０】
次に、検査員が検査箇所５ａをハンマー等で叩くと、マイク部２７は、その音を受け付け、その音に応じた音情報を制御部２１に出力する。制御部２１は、その音情報を記憶部２６に格納する（ステップＳ２０２）。
【００７１】
次に、制御部２１は、ＩＣタグリーダライタ２４が読み取った検査箇所を示すＩＤ（識別符号）と、マイク部２７が収集した音情報とを、無線部２２から管理サーバ４へ送付する（ステップＳ２０３）。管理サーバ４の通信部４１は、ＩＤ（識別符号）と音情報とを受け付けると、それらを制御部４３に提供する。
【００７２】
制御部４３は、そのＩＤ（識別符号）を検査箇所４ａ１に持つ検査関連情報４Ａのレコードを特定する。制御部４３は、その特定されたレコードの検査日（１）４ａ２に、情報が格納されていなかった場合（ステップＳ２０４のNOの場合）、今回がはじめての検査情報登録となるので、そのレコードの検査日（１）４ａ２へ、検査した日付を登録し、また、そのレコードの検査結果４ａ４へ、音情報を登録する（ステップＳ２０５）。なお、制御部４３は、日付を管理する日付管理部を有し、その管理された日付を、検査日（１）４ａ２へ登録する。
【００７３】
次に、制御部４３は、検査結果４ａ４に登録された音情報を解析して、検査対象物５が異常、要注意または正常かを判定し、その判定結果を、検査結果４ａ４へ格納する（ステップＳ２０６）。
【００７４】
次に、制御部４３は、検査結果４ａ４に格納された判定結果を携帯端末２へ送る。携帯端末２の制御部２１は、その判定結果を無線部２２を介して受け付けると、その判定結果を表示部２３に表示し、判定結果が異常を示す場合、不図示のアラーム部からアラームを出す等の異常通知を行う（ステップＳ２０７）。
【００７５】
次に、検査者は、その判定結果に応じて作業を行い、その作業結果を携帯端末２に入力する。携帯端末２の制御部２１は、その作業結果を管理サーバ４へ送り、管理サーバ４の制御部４３は、その作業結果を受け付けると、その作業結果を、ＩＤ（識別符号）にて特定されたレコードの作業状況４ａ５へ格納する（ステップＳ２０８）。
【００７６】
一方、その特定されたレコードの検査日（１）４ａ２に既に情報が格納されていた場合（この場合、そのレコードの検査結果４ａ４には音情報が既に格納されている。）（ステップＳ２０４のYESの場合）、今回は２回目の検査情報登録となるので、管理サーバ４の制御部４３は、検査日（２）４ａ６へ、検査した日付を登録し、また、検査結果４ａ８へ、音情報を登録する（ステップＳ２０９）。
【００７７】
次に、制御部４３は、検査結果４ａ８に登録された音情報を解析して、検査対象物５が異常、要注意または正常かを判定し、その判定結果を、検査結果４ａ８へ格納する（ステップＳ２１０）。
【００７８】
次に、制御部４３は、検査日（１）４ａ２のとき収集した音情報と、今回収集した音情報の比較と解析を行い、その比較結果（良化、悪化、維持）を比較４ａ１０へ格納する（ステップＳ２１１）。
【００７９】
次に、制御部４３は、検査結果４ａ８に格納された判定結果を携帯端末２へ送る。携帯端末２の制御部２１は、その判定結果を無線部２２を介して受け付けると、その判定結果を表示部２３に表示し、判定結果が異常を示場合、不図示のアラーム部からアラームを出す等の異常通知を行う（ステップＳ２１２）。
【００８０】
次に、検査者は、その判定結果に応じて作業を行い、その作業結果を携帯端末２に入力する。携帯端末２の制御部２１は、その作業結果を管理サーバ４へ送り、管理サーバ４の制御部４３は、その作業結果を受け付けると、その作業結果を、ＩＤ（識別符号）にて特定されたレコードの作業状況４ａ９へ格納する（ステップＳ２１３）。
【００８１】
その後、検査に関連する情報を取得したい者は、検査箇所５ａに付与されたＩＣタグ１の固体識別符号を元にして管理サーバ４にアクセスすれば、検査に関連する情報を知ることができるようになる。
【００８２】
本実施例では、検査対象物５を叩いた音の解析方法については、特に規定していないが、例えば、ある特定周波数帯の音の大きさの規定値を決めておき、その大きさを超えたら“異状”と判断する解析方法が考えられる。
【００８３】
また前回叩いた音との比較では、ある特定周波数帯について、前回叩いた音と今回叩いた音のずれの大きさを規定しておき、その大きさを超えたら“異常”と判断する方法等が考えられる。
【００８４】
また、図７に示した検査フローでは、携帯端末２を利用して管理サーバ４にアクセスして検査に関する情報を登録しているが、使う端末は携帯端末でなくてもよく、例えば、ＩＣタグリーダライタとマイクとを接続可能なパソコンを用いて、検査に関する情報を、管理サーバ４に登録してもよい。
【００８５】
本実施例によれば、検査対象物５の音が携帯端末２のマイク部２７で収集されれば、管理サーバ４の制御部４３は、検査対象物５が異常か否かを、マイク部２７の出力（音情報）に基づいて判断し、その判断結果を音情報と共に、固体識別符号と対応づけて記憶部４２に記憶する。
【００８６】
よって、検査対象物５が異常か否かの判断が個人差によりばらつくことを防止でき、また、検査対象物５の音情報の管理を効率的に行うことが可能になる。
【００８７】
また、管理サーバ４が、判断結果、音情報および固体識別符号を管理するため、ＩＣタグ１が、判断結果、音情報および固体識別符号を管理しなくて済む。
【００８８】
また、本実施例では、管理サーバ４の制御部４３は、通信部４１が音情報および固体識別符号を受け付けた場合に、その固体識別符号に対応する音情報が既に記憶部４２に記憶されていると、その受け付けた音情報と、その固体識別符号に対応づけて記憶部４２に記憶されている音情報と、を比較し、その比較結果を、その固体識別符号に対応づけて記憶部４２に記憶する。
【００８９】
この場合、比較結果も記憶部４２に記録されるため、検査対象物の変化も管理することが可能になる。
【００９０】
また、本実施例では、携帯端末２の制御部２１は、ＩＣタグリーダライタ２４が固体識別符号を受け付けると、マイク部２７をオンして音を受け付けさせる。
【００９１】
この場合、固体識別情報が受け付けられると、マイク部２７は、自動的に動作を開始する。このため、検査者がマイク部２７を動作させるための操作を行う必要がなくなる。
【００９２】
本実施例において、識別用タグとして、ＩＣタグが用いられたが、識別用タグはＩＣタグに限らず適宜変更可能である。例えば、識別用タグとして、バーコードが用いられてもよい。この場合、ＩＣタグリーダライタ２４の代わりに、バーコードリーダが用いられる。
【００９３】
上記実施例では、検査員の氏名、検査日の日付、検査結果、作業状況、比較結果、および検査対象物を叩いた音の情報は、管理サーバ４に登録されるものとして説明したが、ＩＣタグ１の記憶部１２に、これらの情報が記憶されてもよい。
【００９４】
その場合、検査時に叩いた音を携帯端末２のマイク部２７が収集し、その後、携帯端末２の制御部２１が、ＩＣタグリーダライタ２４を介して、ＩＣタグ１の記憶部１２へ、その音に応じた音情報を書き込む。
【００９５】
また、この方法の場合、音を解析を、管理サーバ４ではなく、携帯端末２の制御部２１が実行し、収集した音に応じた音情報の解析を行って、検査対象物５が異常か否かを判定し、その判定結果を音情報と共にＩＣタグ１の記憶部１２に書き込めばよい。
【００９６】
この場合、携帯端末２の制御部２１が音情報の解析を行うので、検査対象物が異常か否かの判断が個人差によりばらつくことを防止でき、また、ＩＣタグ１の記憶部１２に判定結果と音情報が書き込まれるので、検査対象物の音情報の管理を効率的に行うことが可能になる。
【００９７】
また、前回の検査時との比較では、ＩＣタグリーダライタ２４が、ＩＣタグ１の記憶部１２から前回叩いた音に応じた音情報を読み取り、制御部２１が、今回叩いた音との比較を解析し、その検査結果（解析結果）を、表示部２３に表示すると共に、ＩＣタグリーダライタ２４を介して、ＩＣタグ１の記憶部１２へ書き込む。
【００９８】
この場合、比較結果も記録されるため、検査対象物の変化も管理することが可能になる。
【００９９】
このように、図７のフローにて、データの登録を全てＩＣタグ１へ行う方法となる。この方法の場合、管理サーバ４は不要となる。
【０１００】
本発明の他の実施例として、そのものの発する音の変化が、重要な意味を持つものとして、例えば航空機のエンジン類の検査があげられる。
【０１０１】
図８に示すように、エンジンの定期的な検査の際に、エンジンそのものにエンジンを一意に示す識別符号の格納されたＩＣタグ１を付与し、携帯端末２のＩＣタグリーダライタ２４でＩＣタグ１から識別符号を読みとり、エンジンの発する音を携帯端末２で収集し、携帯端末２がそれらの情報を管理サーバ４に提供し、管理サーバ４がそれらの情報を格納し、エンジン音の変化などを解析する方法が挙げられる。
【０１０２】
なお、図８において、図１に示したものと同一のものには同一符号を付してある。
【０１０３】
もし、エンジン音に変化があった場合などは、故障の可能性があるため、重点的に検査を行うことが可能となる。
【０１０４】
なお、携帯端末２としては、携帯電話にＩＣタグリーダライタ機能を具備させた装置が最も良く使われるものと推測されるが、携帯電話に限らずＰＤＡなどの携帯端末にＩＣタグリーダライタ機能とマイク機能を付与した装置でもよい。
【０１０５】
以上説明した各実施例において、図示した構成は単なる一例であって、本発明はその構成に限定されるものではない。
【０１０６】
また、本発明の産業上の利用可能性として、設備の延命に貢献することができる。
【０１０７】
近年、特に電力施設などでは、設備の延命化が重要なテーマとなっている。各設備を定年経たら全て取り替えるという方法もあるが、その場合は取替えるコストが大きな負担となっている。よって、できるだけ設備を長持ちさせるため、本実施例のシステムを利用すれば、設備の腐食および劣化をすばやく把握し、修復ができるようになる。それにより、設備の延命化が図られ、かつ無駄に新しい設備を買う必要がなくなるので、コスト削減のみならず、環境にも良い影響を与えることができる。
【０１０８】
また、本実施例によれば、設備の腐食および劣化をすばやく把握することができるため、設備類における事故の事前予防が可能となり、作業員の安全や周りの環境への汚染を防ぐことができる。特に、原子力発電所、水力、火力発電所、および、化学薬品系の工場では、事故の予防として大きな効果が見込める。
【図面の簡単な説明】
【０１０９】
【図１】本発明の一実施形態の検査管理システムを示した概略構成図である。
【図２】ＩＣタグ１の一例を示したブロック図である。
【図３】携帯端末２の一例を示したブロック図である。
【図４】管理サーバ４の一例を示したブロック図である。
【図５】検査関連情報４Ａの一例を示した説明図である。
【図６】事前の登録動作を説明するためのフローチャートである。
【図７】実際の検査時の動作を説明するためのフローチャートである。
【図８】本発明の一実施形態の検査管理システムの他の使用例を示した概略構成図である。
【符号の説明】
【０１１０】
１      ＩＣタグ
１１    制御部
１２    記憶部
１３    アンテナ部
１４    電力生成部
２      携帯端末
２１    制御部
２２    無線部
２３    表示部
２４    ＩＣタグリーダライタ
２５    アンテナ部
２６    記憶部
２７    マイク部
３      インターネット
４      管理サーバ
４１    通信部
４２    記憶部
４３    制御部
【図１】
2007248278.tif 000003
【図２】
2007248278.tif 000004
【図３】
2007248278.tif 000005
【図４】
2007248278.tif 000006
【図５】
2007248278.tif 000007
【図６】
2007248278.tif 000008
【図７】
2007248278.tif 000009
【図８】
2007248278.tif 000010